(57)【要約】【課題】電源オンから映像が出画するまでの間にユーザーが再度リモコンで電源オフしてしまうことを防止することを目的とする。【解決手段】電源電圧の立ち上がりを検出する電源オン検出手段と、電源電圧の立ち上がりを検出した後、所定の時間が経過するまでは、所定の時間が経過していないことを示すカウント継続信号を出力するタイマーカウンターと、パルス発生手段であって、タイマーカウンターがカウント継続信号を出力する間はＬｏｗとなるパルス信号を出力する映像デフィートパルス発生手段と、遠隔制御装置信号を受信する遠隔制御装置信号受信手段と、遠隔制御装置信号の制御情報を判別する遠隔制御装置信号判別手段と、パルス信号がＬｏｗであり、遠隔制御装置信号判別手段で判別された遠隔制御装置信号の制御情報が電源制御信号であった場合は、前記電源制御信号を破棄する遠隔制御装置信号破棄手段とを備える。【選択図】図１
2008022293.tif 000002
【特許請求の範囲】
【請求項１】
電源電圧の立ち上がりを検出する電源オン検出手段と、
前記電源オン検出手段が電源電圧の立ち上がりを検出した後、所定の時間が経過するまでは、所定の時間が経過していないことを示すカウント継続信号を出力するタイマーカウンターと、
パルス発生手段であって、前記タイマーカウンターがカウント継続信号を出力する間はＬｏｗとなるパルス信号を出力する映像デフィートパルス発生手段と、
遠隔制御装置信号を受信する遠隔制御装置信号受信手段と、
前記遠隔制御装置信号受信手段が受信した遠隔制御装置信号の制御情報を判別する遠隔制御装置信号判別手段と、
前記映像デフィートパルス発生手段から出力されるパルス信号がＬｏｗであり、且つ、前記遠隔制御装置信号判別手段で判別された遠隔制御装置信号の制御情報が電源制御信号であった場合は、前記電源制御信号を破棄する遠隔制御装置信号破棄手段とを備えた映像表示装置。
【請求項２】
前記所定の時間は、電源電圧が立ち上がってから映像信号を表示するための内部機器の全ての準備動作が終了するまで期間より長いことを特徴とする請求項１に記載の映像表示装置。
【請求項３】
接続された外部機器を通じて電源電圧が立ち上げられることを特徴とする請求項１に記載の映像表示装置。
【発明の詳細な説明】
【技術分野】
【０００１】
本発明はテレビジョン受信機や画像モニター等の映像表示装置に関するものである。
【背景技術】
【０００２】
近年プラズマテレビや液晶テレビに代表される薄型デジタルテレビの普及が急速に進んでいる。これらのデジタルテレビは地上波デジタル放送やＢＳデジタル放送に対応した専用のチューナーパックを内蔵し、高画質化を目的としたＬＳＩの搭載も積極的に行われている。しかしながらテレビの電源をオンしてから内部のチューナーパックやＬＳＩの準備動作が完了するまでの時間が長く、これが複数組み合わさることで、場合によっては映像やＯＳＤを正常に出画するまで１０秒ほど時間がかかる。通常、内部機器の準備動作が完了するまでは、異常な画面を表示しないようにする映像デフィートを行うことが一般的であり、その為この間にユーザーが電源オンしていないと誤解して、出画する前に再度遠隔制御装置の電源ボタンを押すことにより電源オフしてしまうという課題がある。この問題を解決する一方法として、テレビジョン受像機などの電源の制御を制限する遠隔制御装置がある（例えば、特許文献１に記載）。
【０００３】
図４は従来の遠隔制御装置の構成を示すブロック図である。図４に示す遠隔制御装置は、所望の操作を選択するための操作キー１０３と、前記操作キーに応答して制御信号を出力するための制御部１０１と、前記制御部の基準信号を生成する発振回路１０２と、前記制御部からの機器を制御するための制御出力信号を光信号に変換し、出力するための出力回路１０５と、前記操作キーで選択されたキー出力信号を所定時間遅延させる遅延手段１０６と、前記遅延手段から得られた出力信号によりあらかじめ設定された時間を計数するためのタイマーカウンター１０４とを備える。遠隔制御装置の操作キー１０３の一部である電源キーが押されたとき、タイマーカウンター１０４が所定時間を計算している間は、再び電源キーを押しても、電源オフの信号が出力回路１０５から送信されない。
【特許文献１】特開平５−２６８６６９号公報
【発明の開示】
【発明が解決しようとする課題】
【０００４】
上記のように従来の遠隔制御装置では、テレビジョン受像機などの映像表示装置の電源をオンにする赤外線信号を送信する為の電源キーが押された後、所定時間の間は遠隔制御装置から電源オフにする為の赤外線信号が送信できないように制御されているが、遠隔制御装置が制御する映像表示装置側で主電源をオンした後、映像表示装置の映像表示部分に出画する前に、ユーザーが映像表示装置の電源がオンになっていないと誤解して、遠隔制御装置の電源キーを押してしまい、結果としてユーザーの本来の意思に反して電源オフしてしまうという課題がある。
【０００５】
また、映像表示装置にＤＶＤレコーダーなどの外部機器がＨＤＭＩ等の機器同士がお互いに制御できる状態で備え付けられていた場合、外部機器から映像表示装置の電源をオンすることが可能であるが、この場合も前記同様、ユーザーが映像表示装置の電源がオンになっていないと誤解して、遠隔制御装置の電源キーを押してしまい、結果としてユーザーの本来の意思に反して電源オフしてしまうという課題がある。
【０００６】
本発明の目的は、前記課題を解決するため、遠隔制御装置側で電源制御信号の送信を制限するのではなく、電源オン後の出画前の期間に遠隔制御装置の電源キーを受付けないことにより、出画前に再度遠隔制御装置の電源ボタンを押すことにより電源オフしてしまうのを防止する映像表示装置を提供することである。
【課題を解決するための手段】
【０００７】
本発明の映像表示装置は、電源電圧の立ち上がりを検出する電源オン検出手段と、電源オン検出手段が電源電圧の立ち上がりを検出した後、所定の時間が経過するまでは、所定の時間が経過していないことを示すカウント継続信号を出力するタイマーカウンターと、パルス発生手段であって、タイマーカウンターがカウント継続信号を出力する間はＬｏｗとなるパルス信号を出力する映像デフィートパルス発生手段と、遠隔制御装置信号を受信する遠隔制御装置信号受信手段と、遠隔制御装置信号受信手段が受信した遠隔制御装置信号の制御情報を判別する遠隔制御装置信号判別手段と、映像デフィートパルス発生手段から出力されるパルス信号がＬｏｗであり、且つ、遠隔制御装置信号判別手段で判別された遠隔制御装置信号の制御情報が電源制御信号であった場合は、前記電源制御信号を破棄する遠隔制御装置信号破棄手段とを備えるものである。
【０００８】
本発明に係る映像表示装置は、タイマーカウンターの出力を基にして、電源オン時に内部ＩＣの準備動作が完了する迄の間映像をデフィートすることができる。
【０００９】
また、遠隔制御装置信号禁止手段は、電源オン後の映像デフィート期間内に受信した遠隔制御装置信号が電源制御信号であれば破棄することができる。
【００１０】
このように、映像表示装置が出画する前に遠隔制御装置の電源キーを押すことにより電源オフされるのを防止する手段を映像表示装置側に備えることを実現することができる。
【発明の効果】
【００１１】
本発明によれば、映像表示装置の電源オン後の映像デフィート期間中、遠隔制御装置の電源制御信号を受付けないため、映像表示装置側で主電源をオンした後、映像表示装置が出画する前に遠隔制御装置の電源キーを押されても映像表示装置が電源オフしないように制御することができるので、映像表示装置が映像デフィート期間である場合に、ユーザーが誤って電源をオフにすることを防止することができる。
【００１２】
また、ＨＤＭＩで接続された機器側が、映像表示装置の電源をオンした場合に、映像表示装置が出画する前に遠隔制御装置の電源キーが押されても、映像表示装置が電源オフしないように制御することができるので、映像表示装置が映像デフィート期間である場合に、ユーザーが誤って電源をオフにすることを防止することができる。
【発明を実施するための最良の形態】
【００１３】
以下、本発明に係る映像表示装置の一実施例について説明する。なお、本発明が適用される映像表示装置はこの例に特に限定されず、他の映像表示装置に対しても適用することができる。
【００１４】
（実施の形態１）
図１は、本発明の一実施の形態による映像表示装置の構成を示すブロック図である。
【００１５】
図１に示す映像表示装置は、電源電圧の立ち上がりを検出する電源オン検出手段１と、遠隔制御装置信号を受信する遠隔制御装置信号受信手段４と、遠隔制御装置信号を判別する遠隔制御装置信号判別手段５と、時間を計測するタイマーカウンター２と、映像デフィートパルス発生手段３と、映像をデフィートする映像デフィート手段７と、映像デフィート期間内に受信した特定の遠隔制御装置信号を破棄する遠隔制御装置信号破棄手段６とからなる。
【００１６】
電源オン検出手段１は、電源部の電圧をモニターし、電源部の電圧が所定の電圧に立ち上がると、電源部の電圧が所定の電圧に立ち上がったことを示す電源立ち上がり信号をタイマーカウンター２に出力する。
【００１７】
タイマーカウンター２は電源オン検出手段１の電源立ち上がり信号をトリガーとして、時間の計測を開始する。電源立ち上がり信号を受信し所定の時間が経過するまでは、映像デフィートパルス発生手段３に対し、所定の時間が経過していないことを示すカウント継続信号を出力する。
【００１８】
映像デフィートパルス発生手段３はタイマーカウンター２から出力されるカウント継続信号を受信している時はＬｏｗであり、カウント継続信号を受信していない時はＨｉｇｈであるパルス信号である映像デフィートパルス信号を、映像デフィート手段７及び遠隔制御装置信号破棄手段６に出力する。
【００１９】
映像デフィート手段７は、映像デフィートパルス発生手段３から出力される映像デフィートパルス信号と入力される映像信号を積算することで、映像信号をデフィートし、内部ＩＣの設定完了するまで乱れた映像を出画しないようにする。
【００２０】
遠隔制御装置信号受信手段４は、遠隔制御装置から送信される赤外線制御信号を受光し、電気信号に変換し、遠隔制御装置信号判別手段５へ出力する。
【００２１】
遠隔制御装置信号判別手段５は、遠隔制御装置信号受信手段４から出力される電気信号がどのような制御命令であるかを判別し、判別した映像表示装置の制御情報を映像表示装置制御信号として遠隔制御装置信号破棄手段６へ出力する。
【００２２】
遠隔制御装置信号破棄手段６は、映像デフィートパルス発生手段３の出力である映像デフィートパルス信号と、遠隔制御装置信号判別手段５の出力である映像表示装置制御信号とを入力とし、映像デフィートパルス発生手段３のから入力される映像デフィートパルス信号がＬｏｗレベルであって、入力される映像表示装置制御信号が遠隔制御装置の電源キーを押したことにより送信される映像表示装置の電源を制御する電源制御信号であった場合は、当該電源制御信号を破棄する。上記の構成により、図１に示す映像表示装置は、電源オン後の映像デフィート期間内に受信した遠隔制御装置信号が電源制御信号であれば破棄することが可能である。
【００２３】
図２は、図１に示す映像表示装置により実行される処理の一例を示すフローチャートである。図２を用いて本実施の形態に記載の発明を動作させた時の動作を説明する。図２において、使用者が電源スイッチをオンすると（Ｓ１０１）、電源オン検出段１が電源電圧の立ち上がりを検出し（Ｓ１０２）、タイマーカウンターをスタートさせる（Ｓ１０３）。タイマーカウンターが予め設定した期間を計測するまでの間、映像デフィートを行う。一方、遠隔制御装置信号破棄手段は映像デフィートパルス信号を参照して映像デフィートが継続中かどうかを判別する（Ｓ１０４）。映像デフィート中に遠隔制御装置から受信した制御信号が電源制御信号かどうかを判別し（Ｓ１０６）、電源制御信号を受信した場合は破棄する（Ｓ１０７）。タイマーカウンターが予め設定した期間を計測した以降は映像デフィートを解除し、遠隔制御装置からの電源制御信号の受信を有効とする（Ｓ１０５）。
【００２４】
図３は、図１に示す映像表示装置により実行される電源の立上がりシーケンス例である。図３を用いて本実施の形態に記載の発明の電源立ち上がりシーケンスを説明する。電源がオンすると、まずＡＬＬ＿ＲＳＴ信号により全ての内部構成機器にリセットをかけて初期化を行う。次にＡ＿ＯＮ、Ｂ＿ＯＮ、Ｃ＿ＯＮの信号により、映像信号を表示するための複数の内部機器、及び、Ｐ＿ＯＮ信号によりパネルモジュールを順次動作開始する。あわせてＩＩＣ通信によりこれら複数の内部機器のデータ設定を行う。この間、設定途中の乱れた画像が表示されないように映像デフィートを行い、映像信号を表示するための内部機器の全ての準備動作が終了後、映像デフィートを解除する。映像デフィート中の期間は遠隔制御装置の電源制御信号は受信しても破棄し、映像デフィート解除以降に受信した遠隔制御装置の電源制御信号を有効とする。
【００２５】
上記のように本実施の形態では、電源オン後の出画前の期間に遠隔制御装置の電源キーを受付けないことにより、出画前に再度遠隔制御装置の電源ボタンを押すことにより電源オフしてしまうのを防止する映像表示装置を提供することができる。
【００２６】
本発明によれば、映像表示装置の電源オン後の映像デフィート期間中、遠隔制御装置の電源制御信号を受付けないため、映像表示装置側で主電源をオンした後、映像表示装置が出画する前に遠隔制御装置の電源キーを押されても映像表示装置が電源オフしないようにすることができる。また、ＨＤＭＩで接続された機器側が、映像表示装置の電源をオンした場合に、映像表示装置が出画する前に遠隔制御装置の電源キーが押されても、映像表示装置が電源オフしないようにすることができる。更に、遠隔制御装置の電源キーで電源をオンした後、映像表示装置が出画する前に遠隔制御装置の電源キーを再度押されても映像表示装置が電源オフしないようにすることができる。
【産業上の利用可能性】
【００２７】
本発明にかかる映像表示装置は、電源オン後の出画前の期間に遠隔制御装置の電源キーを受付けないことにより、出画前に再度遠隔制御装置の電源ボタンを押すことにより電源オフしてしまうのを防止する映像表示装置を提供することができるものであり、テレビジョン受信機や画像モニター等の映像表示装置等において有用である。
【図面の簡単な説明】
【００２８】
【図１】本発明の実施の形態１の映像表示装置の構成を示すブロック図
【図２】本発明の実施の形態１の映像表示装置の動作を示すフローチャート
【図３】本発明の実施の形態１の映像表示装置の電源シーケンスを示す図
【図４】従来技術の構成を示すブロック図
【符号の説明】
【００２９】
１    電源オン検出手段
２    タイマーカウンター
３    映像デフィートパルス発生手段
４    遠隔制御装置信号受信手段
５    遠隔制御装置信号判別手段
６    遠隔制御装置信号破棄手段
７    映像デフィート手段
【図１】
2008022293.tif 000003
【図２】
2008022293.tif 000004
【図３】
2008022293.tif 000005
【図４】
2008022293.tif 000006